(57)【要約】      （修正有）【課題】床板の厚みに対応して設置面から根太の上面までの高さを容易に変更することができるとともに、根太と床フレームとの接合部の強度を低下させることのない建物の床根太を提供すること。【解決手段】上面が床板１７で覆われ、下面が方形枠状の床梁（床フレーム）１１に保持された床小梁１６で支持されるとともに、両端部２１、２１が床梁１１に支持される金属製の角型鋼管からなる根太２０を有し、この根太２０が一定間隔を置いて複数平行に並べられた建物ユニット（建物）１０の床根太であって、根太２０の両端部２１、２１には、下部を切り取ることにより断面逆Ｕ字状で、且つ、床梁１１の上面に支持される支持部２２を形成した。【選択図】図１（ａ）
2006002362.tif 000002
【特許請求の範囲】
【請求項１】
上面が床板で覆われ、下面が方形枠状の床フレームに保持された床小梁で支持されると
ともに、両端部が前記床フレームに支持される金属製の角型鋼管からなる根太を有し、該
根太が一定間隔を置いて複数平行に並べられた建物の床根太であって、
前記根太の両端部には、下部を切り取ることにより断面逆Ｕ字状で、且つ、前記床フレ
ームの上面に支持される支持部が形成されていることを特徴とする建物の床根太。
【請求項２】
前記支持部の内側にはスペーサが配設され、前記根太は、前記スペーサを介して前記床
フレームに支持されるとともに、前記支持部及び前記スペーサを貫通する固定部材によっ
て前記床フレームに固定されることを特徴とする請求項１に記載の建物の床根太。
【請求項３】
上面が床板で覆われ、下面が方形枠状の床フレームに保持された床小梁で支持されると
ともに、両端部が前記床フレーム上に支持される金属製の角型鋼管からなる根太を有し、
該根太が一定間隔を置いて複数平行に並べられた建物の床根太であって、
前記根太の両端部の上壁には、端部を折り曲げられて形成された補剛部が設けられてい
ることを特徴とする建物の床根太。
【請求項４】
前記根太の両端部には、下部を切り取ることにより断面逆Ｕ字状で、且つ、前記床フレ
ームの上面に支持される支持部が形成され、該支持部の内側にはスペーサが配設され、前
記根太は、前記スペーサを介して前記床フレームに支持されるとともに、前記支持部及び
前記スペーサを貫通する固定部材によって前記床フレームに固定されることを特徴とする
請求項３に記載の建物の床根太。
【発明の詳細な説明】
【技術分野】
【０００１】
本発明は、金属製の角型鋼管からなる根太が一定間隔を置いて複数平行に並べられた建
物の床根太に関する発明である。
【背景技術】
【０００２】
従来の建物の床根太（以下、床根太という）としては、図３に示すようなものが知られ
ている（例えば、特許文献１〜３参照）。
【０００３】
この床根太１は、一対の床桁梁２、２間に平行に渡した複数の床小梁３に下面が支持さ
れるとともに、一対の妻床梁４に両端部５Ａ、５Ａが支持された複数の根太５を備えてい
る。そして、この複数の根太５は、床小梁３及び床妻梁４と直交する方向に沿って平行に
並べられている。
【０００４】
また、この複数の根太５の上面には、例えば厚さ１５ｍｍのパーチクルボードからなる
床板６が設けられ、各根太５はこの床板６によって覆われている。なお、図３において、
床板６は複数の根太５の一部を覆っているが、通常すべての根太５が床板６によって覆わ
れる。
【０００５】
そして、各根太５の両端部５Ａ、５Ａには、図３（ｂ）及び図４に示すように、下部が
切り取られて長手方向に突出した支持部５Ｂがそれぞれ形成されている。支持部５Ｂは妻
床梁４によって支持され、根太５は、支持部５Ｂ及び床板６を貫通するタッピンネジ７に
よって床妻梁４に固定されている。
【０００６】
さらに、この従来の床根太１を備えた建物を、いわゆる準耐火建築物に適合させるため
には、床板６を加熱開始後４５分間変形等に耐えうる構造としなければならなかった。
【０００７】
そのため、このような準耐火建築物に適合した建物の場合では、例えば床板６´を厚さ
１２ｍｍのパーチクルボード６Ａと厚さ１２ｍｍの硬質木片セメント板６Ｂとを張り合わ
せて厚さ２４ｍｍに形成していた。
【０００８】
また、異種用途区画等に使用するために所定の防火性能が必要な床である界床であって
も、床板は上述の厚さ２４ｍｍに形成されていた。
【０００９】
このように、床板６の厚さが、１５ｍｍから２４ｍｍに変更される場合、床板６の増加
した厚み分だけ床板６の上面が上方に位置することとなってしまう。そのため、図５（ａ
）に示すように、根太５の支持部５Ｂの高さＨ１を床板６の増加した厚み分だけ低く（小
さく）し、設置面Ｓから根太５の上面までの高さＨ２を低く（小さく）することが考えら
れた。
【００１０】
しかし、このように支持部５Ｂの高さＨ１を低くすると、この支持部５Ｂの根元の強度
が低下し、上方から荷重Ｆが負荷された場合、図５（ｂ）に示すように、支持部５Ｂの根
元が破損するおそれがあった。
【００１１】
そこで、床板６の厚みが変更された場合には、図６に示すように、妻床梁４の開放側に
断面コ字状の支持部材８を合せるように設けて、この支持部材８の側面に根太受プレート
９を溶接固定し、この根太受プレート９の上面に根太５の端部５Ａをタッピンネジ７によ
って固定したものが考えられていた。
【００１２】
一方、根太５の強度を高めるために、根太５を金属製の角型鋼管によって形成したもの
も知られている（例えば、特許文献４参照）。
【特許文献１】特開２００３−３３９５８５号公報
【特許文献２】特公平７−６２３３号公報
【特許文献３】特公昭５８−３７４６２号公報
【特許文献４】特開２００４−１９１９１号公報
【発明の開示】
【発明が解決しようとする課題】
【００１３】
しかしながら、従来の床根太１において、準耐火建築物に適合した建物とするために床
板６の厚みを変更した場合、妻床梁４の開放側に設けられた支持部材８の側面に根太受プ
レート９を溶接固定しなければならず、溶接工程が必要であった。
【００１４】
また、支持部材８及び根太受プレート９が必要となるために部品点数が増加し、製造コ
ストも増加するという問題も生じていた。
【００１５】
さらに、根太５を金属製の角型鋼管によって形成した場合では、根太５の長手方向中間
部を切断し、この切断した端部近傍の上壁５Ｃにタッピンネジ７を貫通させて床小梁３等
に固定する際に（図７（ａ）参照）、タッピンネジ７の周囲に荷重や衝撃が加わって根太
５の上壁５Ｃが変形することがあった（図７（ｂ）参照）。
【００１６】
そこで、この発明は、床板の厚みに対応して設置面から根太の上面までの高さを容易に
変更することができるとともに、根太と床フレームとの接合部の強度を低下させることの
ない建物の床根太を提供することを課題としている。
【課題を解決するための手段】
【００１７】
上記課題を解決するために、請求項１に記載の発明は、上面が床板で覆われ、下面が方
形枠状の床フレームに保持された床小梁で支持されるとともに、両端部が床フレームに支
持される金属製の角型鋼管からなる根太を有し、この根太が一定間隔を置いて複数平行に
並べられた建物の床根太であって、根太の両端部には、下部を切り取ることにより断面逆
Ｕ字状で、且つ、床フレームの上面に支持される支持部が形成されていることを特徴とし
ている。
【００１８】
請求項２に記載の発明は、請求項１に記載の建物の床根太において、支持部の内側には
スペーサが配設され、根太は、スペーサを介して床フレームに支持されるとともに、支持
部及びスペーサを貫通する固定部材によって床フレームに固定されることを特徴としてい
る。
【００１９】
請求項３に記載の発明は、上面が床板で覆われ、下面が方形枠状の床フレームに保持さ
れた床小梁で支持されるとともに、両端部が床フレーム上に支持される金属製の角型鋼管
からなる根太を有し、この根太が一定間隔を置いて複数平行に並べられた建物の床根太で
あって、根太の両端部の上壁には、端部を折り曲げられて形成された補剛部が設けられて
いることを特徴としている。
【００２０】
請求項４に記載の発明は、請求項３に記載の建物の床根太において、根太の両端部には
、下部を切り取ることにより断面逆Ｕ字状で、且つ、床フレームの上面に支持される支持
部が形成され、この支持部の内側にはスペーサが配設され、根太は、スペーサを介して床
フレームに支持されるとともに、支持部及びスペーサを貫通する固定部材によって床フレ
ームに固定されることを特徴としている。
【発明の効果】
【００２１】
本願請求項１の発明によれば、根太の両端部に断面逆Ｕ字状で妻床梁の上面に支持され
る支持部が形成されたので、この支持部の高さを変更することによって、床板の厚みに応
じて設置面から根太の上面までの高さを適宜変更することができる。
【００２２】
そのため、床板の厚みに関わらず、容易な構造で設置面から床板上面までの高さを一定
にすることができる。
【００２３】
また、根太が金属製の角型鋼管であるため、根太と床フレームとの接合部の強度の低下
を防止することができる。
【００２４】
本願請求項２の発明によれば、請求項１の効果に加え、根太が支持部及びこの支持部の
内側に配設されたスペーサを貫通する固定部材によって床フレームに固定されたので、根
太を床フレームに容易に固定することができるとともに、支持部の変形を確実に防止する
ことができる。
【００２５】
本願請求項３の発明によれば、根太の両端部の上壁には、折り曲げられて形成された補
剛部が設けられたので、根太の両端部の上壁の強度を増加させることができる。そのため
、この根太の両端部を釘等で床フレームに固定する場合であっても、根太の上壁が変形す
ることを防止できる。
【００２６】
本願請求項４の発明によれば、請求項３の効果に加え、根太が補剛部を形成された支持
部及びこの支持部の内側に配設されたスペーサを貫通する固定部材によって床フレームに
固定されたので、根太を床フレームに容易に固定することができるとともに、よりいっそ
う支持部の変形を防止することができる。
【発明を実施するための最良の形態】
【００２７】
次に、図面に基づいて、この発明を実施するための最良の実施の形態の建物の床根太を
説明する。
【００２８】
図１（ａ）に示す建物ユニット１０は、床梁１１と、床梁（床フレーム）１１上に立設
された柱１２と、柱１２の上部に支持された天井梁１３とを備えた鉄骨構造体を有してい
る。
【００２９】
床梁１１は、平行に配置された一対の妻床梁１４、１４と、この一対の妻床梁１４、１
４の端部に掛け渡された一対の桁床梁１５、１５とを備え、方形枠状を呈している。そし
て、一対の桁床梁１５、１５間には複数の床小梁１６が掛け渡されている。
【００３０】
また、妻床梁１４の上側には、複数の根太２０が各床小梁１６と直交する方向に沿って
平行に配設され、各根太２０の下面は床小梁１６によって支持されている。
【００３１】
根太２０の上側には、床板１７が配設されており、この床板１７によって各根太２０の
上面が覆われている。なお、図１（ａ）における床板１７は一部の根太２０をのみを覆っ
ているが、通常すべての根太２０が床板１７によって覆われる。
【００３２】
柱１２は、妻床梁１４と桁床梁１５との接合部分にそれぞれ設けられ、ほぼ垂直に起立
している。
【００３３】
天井梁１３は、妻床梁１４と平行に配設されるとともに柱１２間に掛け渡された一対の
妻天井梁１８、１８と、桁床梁１５と平行に配設されるとともに柱１２間に掛け渡された
一対の桁天井梁１９、１９と、桁天井梁１９、１９間に掛け渡された複数の補助梁１９ａ
とを備えている。
【００３４】
そして、補助梁１９ａの下面側に図示しない天井パネルが取り付けられて、天井が形成
される。
【００３５】
根太２０は、短手方向の断面がほぼ正方形を成す金属製の角型鋼管によって形成されて
いる。なお、この角型鋼管は中空となっており、各壁面２０Ａ〜２０Ｃの板厚Ｔ（図１（
ｂ）参照）はここでは、それぞれ８ｍｍとなっている。また、この厚みＴはこれに限らず
、適宜所望の厚みに変更してもよい。
【００３６】
そして、この根太２０の長手方向の両端部２１、２１には、図１（ｂ）に示すように、
下部を切り取られることによって短手方向の断面が逆Ｕ字状になった支持部２２がそれぞ
れ形成されている。
【００３７】
つまり、この支持部２２は、根太２０の一方の側壁２０Ｂの上下方向中間部から下壁２
０Ｃ、他方の側壁（図示せず）の上下方向中間部に渡って切り取られ、上壁２０Ａと一対
の側壁２０Ｂ（他方図示せず）がそれぞれ長手方向に突出することで形成されている。
【００３８】
そのため、一対の側壁２０Ｂの上下方向中間部の切り取る位置を変更することによって
、支持部２２の高さＨ３を適宜変更することが可能となる。
【００３９】
そして、この支持部２２の内側（開放側）には、直方体形状を呈したスペーサ２３が内
接するように配設されている。このスペーサ２３の高さＨ４は、支持部２２の高さＨ３よ
りも大きくされ、側壁２０Ｂの下端よりも下面が僅かに下方に突出している。これにより
、後述するように、根太２０を妻床梁１４上に配置した際に、支持部２２の下端が妻床梁
１４に当接しないようになっている。
【００４０】
また、スペーサ２３は、合板や火山性ガラス質複層板等によって形成され、ねじや釘等
を打ち込んでも割れや欠けが生じにくいものとなっている。
【００４１】
なお、ここでは、根太２０の上壁２０Ａ及び両側壁２０Ｂに密着しているが、両側壁２
０Ｂに密着していなくともよい。
【００４２】
そして、この建物ユニット１０の床根太を形成するには、まず、角型鋼管によって形成
された根太２０の長手方向の両端部２１、２１の下部をそれぞれ切り取り、断面逆Ｕ字状
の支持部２２を形成する。
【００４３】
次に、支持部２２の内側に、あらかじめ支持部２２に内接するように形成されたスペー
サ２３を挿入し、図示しない接着剤等で接着固定する。
【００４４】
そして、スペーサ２３が内側に接着固定された支持部２２を妻床梁１４上に配置し、支
持部２２とスペーサ２３とを共に貫通する固定部材であるタッピンネジ７によって妻床梁
１４に根太２０を固定する。
【００４５】
このように、根太２０を長手方向の両端部２１、２１に形成された断面逆Ｕ字状の支持
部２２によって妻床梁１４上に固定したので、この支持部２２の高さＨ３を変更すること
によって、設置面から根太２０の上壁２０Ａまでの高さを適宜変更することができる。
【００４６】
そして、床板１７の厚みに応じて設置面から根太２０の上壁２０Ａまでの高さを変更で
きるので、床板１７の厚みに関わらず、常に設置面から床板１７の上面までの高さを一定
にすることが可能となる。
【００４７】
さらに、根太２０が金属製の角型鋼管によって形成されているので、支持部２２の高さ
Ｈ３が根太２０の中間部の太さよりも小さくなっても強度がほとんど低下せず、根太２０
と妻床梁１４との接合部の強度の低下を防止することができる。
【００４８】
そして、支持部２２の内側にスペーサ２３を介してタッピンネジ７を貫通させたので、
支持部２２が内側からスペーサ２３で支持され、タッピンネジ７を打ち込む衝撃で支持部
２２の上壁２０Ａが変形することを防止できる。
【００４９】
また、スペーサ２３によって支持部２２を妻床梁１４上に容易に位置決めして、配置す
ることができ、容易に固定することが可能となる。
【００５０】
一方、玄関、階段等を形成するために床根太が長手方向中間部で分断される場合には、
図２に示すように、根太２０を長手方向中間部で切断する。
【００５１】
そして、図２（ａ）、（ｂ）に示すように、根太２０の上壁２０Ａの端部を下側に折り
曲げて補剛部２４を形成する。
【００５２】
この補剛部２４は、上壁２０Ａの端部を全長に渡ってへこませることで形成され、上壁
２０Ａの強度を向上させている。
【００５３】
そのため、図２（ｃ）に示すように、タッピンネジ７を根太２０の上壁２０Ａに打ち込
んだ際に、タッピンネジ７の周囲に荷重や衝撃が加わっても、図２（ｄ）に示すように、
上壁２０Ａの変形を防止することができる。
【００５４】
また、図示しないが、上述の支持部２２の端部に補剛部２４を形成しても良い。この場
合、補剛部２４によって支持部２２の上壁２０Ａの強度が向上し、さらに根太２０と妻床
梁１４との接合部の強度の低下を防止することができる。
【００５５】
そして、補剛部２４を形成した支持部２２の内側にスペーサ２３を配置した場合では、
スペーサ２３によって支持部２２の上壁２０Ａの変形が防止されることに加え、補剛部２
４によって上壁２０Ａの強度を向上させることが可能となる。
【００５６】
そのため、根太２０を妻床梁１４に容易に固定することができるとともに、よりいっそ
う支持部２２の変形を防止することができる。
【００５７】
以上、この発明にかかる実施の形態の一つを図面により詳述してきたが、この発明の床
根太を備えた建物ユニット１０を複数組み合わせてユニット建物を形成してもよい。この
場合、床板１７の厚みに対応して設置面から根太２０の上面までの高さを容易に変更する
ことができるとともに、根太２０と妻床梁１４との接合部の強度を低下させることのない
ユニット建物を提供することが可能となる。
【００５８】
また、この発明の建物の床根太は、建物ユニットの床に限られずプレハブ住宅等の床に
も適用することが可能である。この場合であっても、床板の厚みに対応して設置面から根
太の上面までの高さを容易に変更することができるとともに、根太と妻床梁との接合部の
強度を低下させることのないプレハブ住宅を提供することが可能となる。
【図面の簡単な説明】
【００５９】
【図１（ａ）】この発明の実施の形態の床根太を備えた建物ユニットの全体を示す斜視図である。
【図１（ｂ）】図１（ａ）におけるＡ部の拡大図である。
【図２】（ａ）はこの発明の床根太が長手方向で切断された場合を示す斜視図であり、（ｂ）は図２（ａ）におけるＢ−Ｂ断面図であり、（ｃ）は図２（ａ）においてタッピンネジを貫通させる際の説明図であり、（ｄ）は図２（ａ）においてタッピンネジが貫通した場合を示す説明図である。
【図３】（ａ）は従来の床根太を備えた建物の全体を示す斜視図であり、（ｂ）は図３（ａ）におけるＣ部の拡大図である。
【図４】図３（ａ）におけるＤ−Ｄ断面図である。
【図５】（ａ）は従来の床根太において床板の厚みを変更した場合を示す説明図である、（ｂ）は図５（ａ）において、上方から荷重が負荷した場合を示す説明図である。
【図６】従来の床根太において、床板の厚みに応じてさらに変更した場合を示す説明図である。
【図７】（ａ）、（ｂ）は従来の床根太を鋼管にした例を示す説明図である。
【符号の説明】
【００６０】
１０              建物ユニット（建物）
１１              床梁（床フレーム）
１６              床小梁
１７              床板
２０              根太
２１、２１        両端部
２２              支持部
【図１（ａ）】
2006002362.tif 000003
【図１（ｂ）】
2006002362.tif 000004
【図２】
2006002362.tif 000005
【図３】
2006002362.tif 000006
【図４】
2006002362.tif 000007
【図５】
2006002362.tif 000008
【図６】
2006002362.tif 000009
【図７】
2006002362.tif 000010